(57)【要約】【課題】  バルコニー或いは外廊下等の屋外側に持ち出して取り付けられる持出し手摺構造及びその取付方法に関し、持ち出されるフェンス体の取り付け作業を改善し、併せて安全性にも優れた持出し手摺構造及びその取付方法を提供することを課題とする。【解決手段】  バルコニー或いは廊下の基礎面の端部近傍に、所定の間隔をおいて立設される手摺支柱と、上記手摺支柱同士にわたって取り付けられるフェンス体と、上記手摺支柱の下部近傍に固定される支柱取付部、及びこの支柱取付部から屋外側に延設され上記フェンス体の下部を載置しかつ保持するフェンス体取付部が設けられた下部ブラケットと、上記手摺支柱の上部近傍に固定される支柱取付部、及びこの支柱取付部から屋外側に延設され上記フェンス体の上部を保持するフェンス体取付部が設けられた上部ブラケットと、を有する構成である。【選択図】  図１
2007032031.tif 000002
【特許請求の範囲】
【請求項１】
バルコニー或いは廊下の基礎面の端部近傍に、所定の間隔をおいて立設される手摺支柱と、
上記手摺支柱同士にわたって取り付けられるフェンス体と、
上記手摺支柱の下部近傍に固定される支柱取付部、及びこの支柱取付部から屋外側に延設され上記フェンス体の下部を載置しかつ保持するフェンス体取付部が設けられた下部ブラケットと、
上記手摺支柱の上部近傍に固定される支柱取付部、及びこの支柱取付部から屋外側に延設され上記フェンス体の上部を保持するフェンス体取付部が設けられた上部ブラケットと、を有することを特徴とする持出し手摺構造。
【請求項２】
上記下部ブラケットと上記上部ブラケットの上記支柱取付部には、上記手摺支柱の屋内側の取付面部に固定される屋内側保持部、及びこの屋内側保持部の両端部からそれぞれ屋外側に屈曲形成され上記手摺支柱の両側面部に固定される側面保持部が設けられたことを特徴とする請求項１記載の持出し手摺構造。
【請求項３】
バルコニー或いは廊下の基礎面の端部近傍に所定の間隔をおいて手摺支柱を立設し、
上記手摺支柱に固定される支柱取付部、及びこの支柱取付部から屋外側に延設されるフェンス体取付部が設けられた下部ブラケットを、上記手摺支柱の下部近傍に固定し、
上記手摺支柱同士にわたって取り付けられるフェンス体の下部を、上記下部ブラケットのフェンス体取付部に載置保持し、
上記手摺支柱に固定される支柱取付部、及びこの支柱取付部から屋外側に延設されるフェンス体取付部が設けられた上部ブラケットを、上記手摺支柱の上部近傍に固定し、
上記フェンス体の上部を、上記上部ブラケットのフェンス体取付部で保持したことを特徴とする持出し手摺の取付け方法。
【発明の詳細な説明】
【技術分野】
【０００１】
本発明は、バルコニー或いは外廊下等の屋外側に持ち出して取り付けられる持出し手摺構造及びその取付方法に関する。
【背景技術】
【０００２】
上記持出し手摺構造は、バルコニー等の狭さを解消し、手摺のフェンス体（腰壁材）による圧迫感を生じさせなくし、また手摺を外壁材と同一面上に設置して外壁と連続するファサードを構成し、デザイン的な要素を追及する形態として採用されている。
【０００３】
このような持出し手摺構造として、特許文献１には、外壁の一部または他の外壁と連続性のもてるファサードを構成した持出し手摺が開示されている。この持出し手摺は図８に示すように、コンクリートスラブ立ち上がり部１０２上に一定間隔で手摺用支柱１０４を植設し、この手摺用支柱１０４に予め持ち出しブラケット１０６が結合された手摺の腰壁材１０８をボルト・ナットにて固着したものである。また特許文献２には建物の柵構造が開示されており、これは共同住宅の外廊下またはバルコニーの床を構成するスラブの外端部に沿って補助支柱を立設固定し、ブラケットを介して補助支柱の前方に持ち出された状態で支柱を連結し、これらの支柱で柵体を支持する構造である。特許文献３に記載の手摺りは、格子ユニットを支柱の屋外側に配置する構造であり、また格子ユニットの上部に笠木に固定することにより支持の脆弱化が防止されるというものである。
【０００４】
【特許文献１】特開２００４−１０７８８７公報
【特許文献２】特開平１０−３７４２３号公報
【特許文献３】特許第３３５１７５８号公報
【発明の開示】
【発明が解決しようとする課題】
【０００５】
さて、特許文献１に記載の手摺の取付け作業では、まずバルコニーなどのコンクリート立ち上がり部に手摺支柱を立設しておき、次にブラケットが結合された手摺の腰壁材を手摺支柱にボルトにて止付けて固定する。また、特許文献２に記載の柵構造の柵の取付け作業についても、バルコニーの外端部に立設固定した補助支柱に、ブラケットを介して手摺の支柱を結合し、各主支柱間に柵体を取り付けて固定する。
【０００６】
このため、特許文献１，２に記載の手摺の取付方法は、腰壁材（柵体）を手摺の支柱に取り付ける際には、腰壁材（柵体）を作業員が持ちながら、かつブラケットを手摺の支柱にボルト締めしなければならないので、施工の際には少なくとも二人の作業員が必要であり、このため作業の効率がわるいという問題があった。また、特許文献３の手摺りについても、上記と同様な施工工程をとるものと考えられ作業性に問題がある。
【０００７】
本発明は上記問題点を解決するためになされたものであり、屋外側に持出されるフェンス体の取り付け作業を改善し、併せて安全性にも優れた持出し手摺構造及びその取付方法を提供することを目的とする。
【課題を解決するための手段】
【０００８】
以上の技術的課題を解決するため、本発明に係る持出し手摺構造は、図１に示すように、バルコニー或いは廊下の基礎面の端部近傍に、所定の間隔をおいて立設される手摺支柱と、上記手摺支柱同士にわたって取り付けられるフェンス体と、上記手摺支柱の下部近傍に固定される支柱取付部、及びこの支柱取付部から屋外側に延設され上記フェンス体の下部を載置しかつ保持するフェンス体取付部が設けられた下部ブラケットと、上記手摺支柱の上部近傍に固定される支柱取付部、及びこの支柱取付部から屋外側に延設され上記フェンス体の上部を保持するフェンス体取付部が設けられた上部ブラケットと、を有する構成である。上記フェンス体には格子状、或いは板状などの形態がある。
【０００９】
本発明に係る持出し手摺構造は、上記下部ブラケットと上記上部ブラケットの上記支柱取付部には、上記手摺支柱の屋内側の取付面部に固定される屋内側保持部、及びこの屋内側保持部の両端部からそれぞれ屋外側に屈曲形成され上記手摺支柱の両側面部に固定される側面保持部が設けられた構成である。
【００１０】
本発明に係る持出し手摺の取付け方法は、バルコニー或いは廊下の基礎面の端部近傍に所定の間隔をおいて手摺支柱を立設し、上記手摺支柱に固定される支柱取付部、及びこの支柱取付部から屋外側に延設されるフェンス体取付部が設けられた下部ブラケットを、上記手摺支柱の下部近傍に固定し、上記手摺支柱同士にわたって取り付けられるフェンス体の下部を、上記下部ブラケットのフェンス体取付部に載置保持し、上記手摺支柱に固定される支柱取付部、及びこの支柱取付部から屋外側に延設されるフェンス体取付部が設けられた上部ブラケットを、上記手摺支柱の上部近傍に固定し、上記フェンス体の上部を、上記上部ブラケットのフェンス体取付部で保持したことである。
【発明の効果】
【００１１】
本発明に係る持出し手摺構造によれば、手摺支柱同士にわたって取り付けられるフェンス体、手摺支柱の下部近傍に固定される支柱取付部及びフェンス体の下部を載置し保持するフェンス体取付部が設けられた下部ブラケット、手摺支柱の上部近傍に固定される支柱取付部及びフェンス体の上部を保持するフェンス体取付部が設けられた上部ブラケットと、を有する構成を採用したから、簡素で機能的な持出し構造が実現できるとともに、フェンス体が両ブラケットに堅固に保持し狭持され、強風圧に対してもフェンス体は強固に保持固定され、またフェンス体の落下防止などの安全が確保できる一方、フェンス体を取り付ける際に、下部ブラケットでフェンス体を載置して支え保持することができるので、フェンス体を取り付ける等の手摺の施工作業が一人で手軽に行えて取り付け作業の簡素化が図れ、施工性に優れるという効果を奏する。
【００１２】
本発明に係る持出し手摺構造によれば、支柱取付部には、手摺支柱の取付面部に固定される屋内側保持部、及び手摺支柱の両側面部に固定される側面保持部が設けられた構成としたから、手摺支柱に上部及び下部の両ブラケットが確実に取り付けられ、かつフェンス体の上部及び下部が両ブラケットに堅固に保持し狭持され、強風圧に対してもフェンス体は強固に保持固定され、またフェンス体の落下防止などの安全が十分に確保できるという効果がある。
【００１３】
本発明に係る持出し手摺の取付け方法によれば、基礎面の端部近傍に手摺支柱を立設し、下部ブラケットを手摺支柱の下部近傍に固定し、フェンス体の下部を下部ブラケットに載置保持し、上部ブラケットを手摺支柱の上部近傍に固定し、フェンス体の上部を上部ブラケットのフェンス体取付部で保持することとしたから、簡素で機能的な持出し手摺構造が実現できるとともに、フェンス体を取り付ける際に、下部ブラケットでフェンス体を載置して支え保持することができ、これにより手摺の施工作業が一人で手軽に行えて取り付け作業の簡素化が図れ、施工性が向上し、またフェンス体が両ブラケットに堅固に保持し狭持され、強風圧に対してもフェンス体は強固に保持固定され、またフェンス体の落下防止などの安全が十分に確保できるという効果を奏する。
【発明を実施するための最良の形態】
【００１４】
以下、本発明に係る持出し手摺構造及びその取付け方法の実施の形態を図面に基づいて説明する。図１，２は第一の実施の形態に係る持出し手摺構造を示したものである。この手摺は、手摺支柱２、ベースポスト３、バルコニー等の保護用の柵であるフェンス体４、このフェンス体を支持する上部ブラケット８及び下部ブラケット１０を有し、建物の屋外に張り出したバルコニー４２のパラペット部４４等に、屋外側（前方）に持出して設置される。
【００１５】
上記手摺支柱２はフェンス体４を取り付けるもので、屋内側の取付面部１５、左右の側面部１６，１６、及び外面部１７からなる断面矩形状の筒体で、アルミニウム或いはステンレス鋼製である。上記ベースポスト３は手摺支柱を固定するものであり、台座１２及びこれに固定され立設される柱部１４からなる。このベースポスト３は、鋼又はステンレス鋼製からなる断面矩形状の筒体で、上記手摺支柱２がガタつかない程度に嵌め込むことが可能な大きさに形成されている。
【００１６】
上記フェンス体４は、枠内に格子が組み込まれた形状である。このフェンス体４は、断面矩形の長尺筒状の上枠体１８、断面コの字の長尺状の下枠体２０、及びこれら枠体間に所定の間隔をおいて上下に架設される格子体２２からなり、全体がアルミニウム製で形成されている。
【００１７】
上記上部ブラケット８は、手摺支柱２に取り付けて上記フェンス体４の上枠体１８を保持固定する。また上記下部ブラケット１０は、手摺支柱２に取り付けて上記フェンス体４の下枠体２０を載置しさらに保持固定する。この下部ブラケット１０は、上部ブラケット８を上下を逆にして使用したものであり、両者は同一形状である。このように、下部ブラケットと上部ブラケットとを同一形状にすることで、部品点数が削減されまた経済効果もある。
【００１８】
上部ブラケット８（又は下部ブラケット１０）は図３に示すように、手摺支柱２に固定される断面コの字形の支柱取付部３０、及びこの支柱取付部３０から屋外側に延設して形成され、上記フェンス体４の上枠体（又は下枠体）を保持する断面コの字形のフェンス体取付部２４，２４を有する。
【００１９】
上記支柱取付部３０は、手摺支柱２の屋内側の取付面部１５に保持固定される屋内側保持部２６、及びこの屋内側保持部２６の両端部からそれぞれ屋外側に屈曲形成され、手摺支柱２の両側面部１６，１６にそれぞれ固定される側面保持部２８からなる。この側面保持部２８は、屋外側に少し突出する形状に形成され、フェンス体４が手摺支柱２の屋外側に突き出た形態で配置できるようにしている。この屋内側保持部２６には２箇所にネジ孔２７が設けられ、また両側面保持部２８，２８にはそれぞれボルト孔２９が設けられている。
【００２０】
また、上記フェンス体取付部２４，２４は断面コの字形状で、後部に形成される立設面部３２，３２、及びこれら立設面部の端部から屋外側に向けてフェンス体４の上端部（又は下端部）を保持固定する保持部２３，２３からなる。そして、これら保持部２３，２３の先は、鉤状に屈曲形成されている。上記フェンス体取付部２４，２４により、フェンス体４は上端部（又は下端部）が保持固定される。また、上記各立設面部３２，３２にはそれぞれネジ孔３１が設けられている。
【００２１】
図４は、他の形態の上部ブラケット４９（又は下部ブラケット５１）を示したものである。この上部ブラケット４９は、上記上部ブラケット８とは基本的な形態は同様であり、手摺支柱２に固定される支柱取付部３０、及びフェンス体４の上端部又は下端部を保持固定するフェンス体取付部２４，２４を有している。そして、支柱取付部３０には、手摺支柱２の屋内側の取付面部１５に固定される屋内側保持部２６、及び手摺支柱２の側面部１６，１６に固定される側面保持部２８が設けられている。
【００２２】
ここで、上記側面保持部２８，２８にはそれぞれ２つのネジ孔５３が設けられており、この点が上記上部ブラケット８とは異なる。このため、上部ブラケット４９（又は下部ブラケット５１）の取付けに際しては、例えばセルフドリリングネジを上記側面保持部２８のネジ孔５３から挿通し、手摺支柱２の側面部１６さらにはベースポスト３の柱部１４に螺着する。
【００２３】
次に、上記持出し手摺構造の施工手順について説明する。先ず、基礎面（コンクリートスラブ）としてのバルコニー４２のパラペット部４４に、上記ベースポスト３を固定する。このとき、パラペット部４４の上面部にアンカーボルト４６を打ち込み、上記ベースポスト３の台座１２を固定する。そして、このベースポスト３の柱部１４に手摺支柱２を嵌入し、この手摺支柱２の取付面部１５の上下の２箇所にセルフドリリングネジ４８を螺着して手摺支柱２をベースポスト３に固定する。このようにして、パラペット部４４の上面部に所定の間隔をおいて複数の手摺支柱２を立設固定する。
【００２４】
そして、上記立設した各手摺支柱２の下部近傍に上記下部ブラケット１０を取り付ける。このとき、下部ブラケット１０を屋内側から手摺支柱２に嵌め込み、側面保持部２８の一方のボルト孔２９から止着具としてのボルト５０を挿入して他方のボルト孔２９に挿通させ、ナットで締結する。なお、上記ボルト５０が挿通する手摺支柱２およびベースポスト３の該当個所には、予め挿通孔を穿設しておく。また、下部ブラケット１０のネジ孔２７からセルフドリリングネジ４８を螺着し、屋内側保持部２６を手摺支柱２の取付面部１５に固定する。他の手摺支柱２にも、同様にして下部ブラケット１０を取り付ける。
【００２５】
次に、上記各手摺支柱２に取り付けた下部ブラケット１０のフェンス体取付部２４に、フェンス体４の下枠体２０を載置保持させる。この実施の形態では図２に示すように、上記フェンス体４の横の長さは、上記手摺支柱２を一定の間隔をおいて３本並設したサイズにしている。このため上記フェンス体４は、中央の手摺支柱２に取り付けられた下部ブラケット１０の左右のフェンス体取付部２４，２４に保持され、また両側の手摺支柱２に取り付けられた下部ブラケット１０の一方のフェンス体取付部２４に保持される。これら、上記両側の手摺支柱２に取り付けられた下部ブラケット１０の他方のフェンス体取付部２４には、並設される他のフェンス体４を載置保持する。
【００２６】
このように、上記下部ブラケット１０のフェンス体取付部２４にフェンス体４を載置した状態では、フェンス体４は作業者が持っておく必要がないため、作業者はフェンス体４を簡単に掛止しておくのみで次の作業が行える。即ち、一人の作業者でフェンス体４を下部ブラケット１０に保持させることが可能であり、この状態でフェンス体４を仮留めしておけば、この一人の作業者が次の上部ブラケット８の取り付け作業に移ることができ、手摺の施工作業が一人でも可能である。
【００２７】
ここで作業者は、上部ブラケット８を用いてフェンス体４の上部を固定する。このとき、手摺支柱２に屋内側から上部ブラケット８を嵌め込み、フェンス体４の上枠体１８をフェンス体取付部２４，２４に嵌合保持させる。そして、上部ブラケット８の側面保持部２８のボルト孔２９及び手摺支柱２に予め設けられた孔部にボルト５０を挿通させ、ナットで締結する。また、上部ブラケット８の屋内側保持部２６のネジ孔２７を介してセルフドリリングネジ４８を螺着し、屋内側保持部２６を手摺支柱２に固定する。このようにして、各手摺支柱２に上部ブラケット８を取り付け、この上部ブラケット８でフェンス体４の上部を保持固定する。
【００２８】
さらに、上記上部ブラケット８のフェンス体取付部２４，２４に保持したフェンス体４の上枠体１８をセルフドリリングネジ４８で固定する。このとき、上部ブラケット８の立設面部３２，３２のネジ孔３１からセルフドリリングネジ４８を挿通し、上記フェンス体４の上枠体１８を上部ブラケット８に螺着し固定する。一方、下部ブラケット１０のフェンス体取付部２４，２４についても、立設面部３２，３２のネジ孔３１からセルフドリリングネジ４８を挿通して、フェンス体４の下枠体２０を螺着固定して補強する。これにより、上部及び下部ブラケットを介してフェンス体４が堅固に手摺支柱２に固定できる。そして、上記各手摺支柱２の上部に、笠木５２を架設し固定する。
【００２９】
図５は、手摺支柱２に、上部ブラケット８及び下部ブラケット５１を用いてフェンス体４を取付けた手摺構造の側面を示したものである。ここでは、下部ブラケット５１の側面保持部２８のネジ孔５３からセルフドリリングネジ４８を挿通し、下部ブラケット５１を手摺支柱２の側面部１６さらにはベースポスト３の柱部１４に螺着する。
【００３０】
また図６は、パネル状のフェンス体４を用いた手摺構造の側面を示したものである。他に、パネルにパンチング孔が設けられた有孔パネル状のフェンス体も使用可能である。このフェンス体４は、合成樹脂製などのパネル材５６を上枠体５８、左右の側枠体５９、及び下枠体６１内に嵌めたものであり、上記と同様に上部ブラケット８及び下部ブラケット５１を用いて手摺支柱２に取付けられる。
【００３１】
従って、上記第一の実施の形態に係る持出し手摺構造によれば、簡素で機能的な持出し構造が実現できるとともに、手摺支柱に上部及び下部の両ブラケットが確実に取り付けられ、かつフェンス体の上枠体、下枠体が両ブラケットに堅固に保持狭持される。このため、上記持出し手摺構造のフェンス体は強固に手摺支柱に固定され、強風圧に対してもフェンス体は脱着、或いは落下等が確実に防止でき十分な安全が確保できる。また、フェンス体を手摺支柱に取り付ける際には、下部ブラケットでフェンス体を支え保持することができ、これにより手摺の施工作業が一人で手軽に行えてフェンス体の取り付け作業の簡素化が図れ、施工性が改善された。
【００３２】
図７は、第二の実施の形態に係る手摺構造を示すものである。この手摺は同図に示すように、建物の屋外に張り出したバルコニー４２のパラペット部４４等に設置され、手摺支柱２、ベースポスト３、バルコニー等の保護用の柵であるフェンス体６０、このフェンス体６０を支持する上部ブラケット６２及び下部ブラケット６４を有する。なお、この手摺構造において、上記第一の実施の形態に係る手摺構造と共通する部材は、同一の符号を付してここでの詳細な説明は省略する。
【００３３】
上記手摺支柱２及びベースポスト３は、第一の実施の形態に係る手摺構造で用いたものと形状、材質などは同様である。上記フェンス体６０は全体がアルミニウム製で、断面矩形の長尺筒状の上枠体６６、断面コの字の長尺状の下枠体６７、及びこれら枠体間に上下に架設される格子体６８からなる。このフェンス体６０は、バルコニー４２のパラペット部４４の屋外側に配置して、パラペット部４４を含めたバルコニーの前面を覆う形態であるため、第一の実施の形態で用いたフェンス体４より上下寸法を長くし、また上部及び下部ブラケットの屋外側方向に突出するサイズを長く形成している。
【００３４】
上記上部ブラケット６２は、手摺支柱２に取り付けて上記フェンス体６０の上枠体６６を保持固定する。この上部ブラケット６２は、手摺支柱２に固定される支柱取付部８０、及びこの支柱取付部８０を屋外側に延設した位置に設けられ、上記フェンス体６０の上枠体６６を保持するフェンス体取付部７４，７４からなる。
【００３５】
上記支柱取付部８０は断面コの字形状であり、手摺支柱２の屋内側の取付面部１５に保持固定される屋内側保持部７６、及びこの屋内側保持部７６の両端部からそれぞれ屋外側に屈曲形成され、手摺支柱２の両側面部１６，１６に固定される側面保持部７８，７８からなる。この側面保持部７８は、屋外側に所定の長さ突き出る形状に形成して、フェンス体６０がパラペット部４４の前方を覆う位置に配置できるようにしている。また上記屋内側保持部７６には２箇所にネジ孔２７が設けられ、側面保持部７８，７８にはそれぞれボルト孔２９が設けられている。
【００３６】
また、上記フェンス体取付部７４，７４は断面コの字形状で、それぞれ後部に形成される立設面部８２，８２、及びこれら立設面部の上端部から屋外側に向けてフェンス体６０の上枠体６６を保持固定する保持部７３，７３からなる。これら保持部７３，７３の先は下方にむけて鉤状に屈曲形成されている。また、上記各立設面部８２，８２にはそれぞれネジ孔３１が設けられている。
【００３７】
上記下部ブラケット６４は、手摺支柱２に取り付けて上記フェンス体６０の下枠体６７を載置し保持固定する。この下部ブラケット６４は、手摺支柱２に固定される支柱取付部８０、及びこの支柱取付部８０を屋外側に延設した位置に設けられ、上記フェンス体６０の下枠体６７を保持するフェンス体取付部８４，８４を有する。この支柱取付部８０は断面コの字形状であり、屋内側保持部７６及びこの屋内保持部の両側からそれぞれ屋外側に屈曲形成される側面保持部７８，７８からなる。
【００３８】
また上記フェンス体取付部８４，８４は、上記側面保持部７８，７８の前部からそれぞれ下方に向けて形成される立設面部９２，９２、及びこれら立設面部の下端部から屋外側に向けて形成され、フェンス体６０の下枠体６７を載置保持する保持部８３，８３からなる。上記立設面部９２，９２は、上記保持部８３，８３によりフェンス体６０をパラペット部４４の前面の下部位置で保持固定する必要があるため、パラペット部４４の上下寸法と同程度に下方に長く形成されている。
【００３９】
この持出し手摺構造の施工手順は、上記第一の実施の形態に係る手摺構造と略同様であり、先ずバルコニー４２のパラペット部４４の上面部に上記ベースポスト３を固定し、このベースポスト３の柱部１４に手摺支柱２を嵌入する。同様にして、パラペット部４４の上面部に複数の手摺支柱２を立設する。
【００４０】
そして、上記各手摺支柱２の下部近傍に上記下部ブラケット６４を取り付け、各下部ブラケット６４のフェンス体取付部８４に、フェンス体６０の下枠体６７を載置保持させる。上記フェンス体６０は、下部ブラケット６４の左右のフェンス体取付部８４，８４、また他の下部ブラケット６４の一方のフェンス体取付部８４に載置保持される。各下部ブラケット６４のフェンス体取付部８４にフェンス体６０を載置した状態で、作業者は、フェンス体６０の上部を固定する。ここで作業者は、屋内側から手摺支柱２に上部ブラケット６２を嵌め込み挿入し、フェンス体取付部７４，７４をフェンス体６０の上枠体６６に嵌合させる。
【００４１】
さらに、フェンス体６０の取付けを補強するため、上部ブラケット６２のフェンス体取付部７４，７４にセルフドリリングネジ４８を挿通して、フェンス体６０の上枠体６６を止着固定する。そして、上記各手摺支柱２の上部に、笠木５２を固定架設する。
【００４２】
従って、上記第二の実施の形態に係る持出し手摺構造によれば、簡素で機能的かつ有効にバルコニーの遮蔽が行える持出し構造が実現できるとともに、手摺支柱に上部及び下部の両ブラケットが確実に取り付けられ、かつフェンス体の上枠体、下枠体が両ブラケットに堅固に保持し狭持され、強風圧に対してもフェンス体は強固に固定され、またフェンス体の脱着、落下が確実に防止できる持出し手摺が得られる。また、フェンス体を取り付ける際に、下部ブラケットでフェンス体を支え保持することができ、これにより手摺の施工作業が一人で手軽に行えて取り付け作業の簡素化が図れ、施工性が改善された。
【図面の簡単な説明】
【００４３】
【図１】本発明の第一の実施の形態に係る持出し手摺構造を示す図である。
【図２】実施の形態に係る持出し手摺構造の斜視図である。
【図３】実施の形態に係る上部又は下部ブラケットの斜視図である。
【図４】実施の形態に係る他の形態の上部又は下部ブラケットの斜視図である。
【図５】実施の形態に係り、格子状のフェンス体を取り付けた持出し手摺構造の側面を示す図である。
【図６】実施の形態に係り、板状のフェンス体を取り付けた持出し手摺構造の側面を示す図である。
【図７】本発明の第二の実施の形態に係る持出し手摺構造を示す図である。
【図８】従来例に係る建物の柵構造を示す図である。
【符号の説明】
【００４４】
２  手摺支柱
４，６０  フェンス体
８，４９，６２  上部ブラケット
１０，５１，６４  下部ブラケット
２４，７４，８４  フェンス体取付部
２６，７６  屋内側保持部
２８，７８  側面保持部
２８  側面保持部
３０  支柱取付部
【図１】
2007032031.tif 000003
【図２】
2007032031.tif 000004
【図３】
2007032031.tif 000005
【図４】
2007032031.tif 000006
【図５】
2007032031.tif 000007
【図６】
2007032031.tif 000008
【図７】
2007032031.tif 000009
【図８】
2007032031.tif 000010